(57)【特許請求の範囲】
【請求項１】
管楽器を支持する支持具であって、前記支持具は、自由端部（９）が弓形部として形成されている２本の上方に突き出たアーム（２，２′）と、下方に突き出ていて支持体（４）を形成する第３のアームとから成り、前記２本のアーム（２，２′）及び前記支持体（４）は、連結要素（３）中に収斂すると共に該連結要素（３）内で互いに連結され、締結手段（１８）が管楽器（１７）用の前記支持具に設けられている、支持具において、上側の前記アーム（２，２′）及び下側の前記アーム（４）は、前記上側アーム（２，２′）及び前記下側アーム（４）が前記連結要素（３）中に収斂すると共に前記管楽器（１７）のための保持手段（５）を吊り下げ又は取り外し可能に締結する前記締結手段（１８）が前記連結要素（３）に取り付けられるような仕方でＹ字形フレームを形成している、支持具。
【請求項２】
前記アーム（２，２′）は、容易に曲げることができる金属で作られている、請求項１記載の支持具。
【請求項３】
前記支持具は、全体がプラスチックで作られ又は少なくとも一部が金属で作られている、請求項１記載の支持具。
【請求項４】
前記２本のアーム（２，２′）は、ユニットを形成するよう前記支持体（４）及び前記連結要素（３）と一体に形成されている、請求項１〜３のうちいずれか一に記載の支持具。
【請求項５】
前記支持具は、２本の個々のアーム（２，２′）と、支持体（４）とから成り、前記連結要素（３）は、前記支持体（４）に固定的に連結され又は前記支持体（４）上に形成され、前記アーム（２，２′）は、前記アームがラッチ止め状態では回動することができないような仕方で前記連結要素（３）に設けられた凹部中に取り外し可能に差し込み可能である、請求項１〜３のうちいずれか一に記載の支持具。
【請求項６】
前記支持具は、２本の個々のアーム（２，２′）と、支持体（４）とから成り、前記連結要素（３）は、前記支持体（４）に固定的に連結され又は前記支持体（４）上に形成され、前記アーム（２，２′）は、ヒンジ形連結部によって前記連結要素（３）に連接されている、請求項１〜３のうちいずれか一に記載の支持具。
【請求項７】
前記支持体（４）は、前記支持体（４）上に形成され又は前記支持体（４）の下端部領域を広げることによって形成された突っ張り（８）を有する、請求項１〜６のうちいずれか一に記載の支持具。
【請求項８】
前記支持体（４）は、回転可能であり且つ前記支持体（４）に取り付けられた突っ張り（８）を有する、請求項１〜６のうちいずれか一に記載の支持具。
【請求項９】
前記支持体（４）は、入れ子式延長部（４ａ）を有する、請求項１〜８のうちいずれか一に記載の支持具。
【請求項１０】
前記アーム（２，２′）の弓形自由端部（９）は、平べったくされていてクッションを有する、請求項１〜９のうちいずれか一に記載の支持具。
【請求項１１】
前記締結手段（１８）は、アイによって形成され、前記保持手段（５）は、調節可能なバンド（６）及びフック（７）を含む、請求項１〜１０のうちいずれか一に記載の支持具。
【請求項１２】
前記フック（７）は、演奏中、前記管楽器（１７）と関連した前記アイからの前記フック（７）の意図しない離脱を阻止するセーフガードを有し、前記セーフガードは、Ｕ字形の前記フック（７）の内側部上に形成され又は前記Ｕ字形フック（７）の前記内側部に取り付けられた舌状ばねの自由端部上に形成されたカム（１３）から成る、請求項１１記載の支持具。
【発明の詳細な説明】
【技術分野】
【０００１】
本発明は、管楽器、特にサクソホン（saxophone）又はサクソホン形管楽器用の支持具に関する。
【背景技術】
【０００２】
一般に、ホルダが幅が約２ｃｍのバンドで作られ、頭越しに首周りに掛けられ、スリングの形態を有し、ホルダの互いに反対側の自由端部にそれぞれ管楽器を保持する可動フックが取り付けられており、このようなホルダがサクソホン用支持具として一般に知られている。特に長い演奏時間及び重い楽器の場合、これら首掛けスリングの欠点として、管楽器の重量が首のうなじ又は頸椎に加わり、首及び肩の筋系を大幅に緊張させ、それにより長時間にわたって演奏を行うサクソホン演奏者は、不快感を生じると共にうんざりと感じ、その結果、首及び頭に痛みを起こす場合がある。別の公知形式の支持具は、肩を包囲すると共に胸部の前で収斂する２本のループを備えた胸部ストラップシステムから成り、楽器は、この胸部ストラップシステムから吊り下げられる。これら胸部ストラップシステムの中には、支持具を安定化させるためにストラップシステムに組み込まれたベルトを更に有するものがある。胸部ストラップシステムの場合における欠点は、楽器を十分な程度まで体から遠ざけることができず、しかも息つぎの際に胸部ストラップシステムが胸郭の邪魔になり、その結果、或る程度の演奏時間後では妨げのない状態での演奏がもはや可能ではなくなるということにある。もう１つの欠点は、ストラップシステムを演奏中の小休止の際に簡単に下に置くことができないということにある。胸部ストラップを着け又は脱ぐのに時間と或る程度の労力が必要である。加うるに、胸部ストラップは、特に魅力のあるものではなく、このことは、特にパフォーマンスの際に厄介なものであるとプロの演奏者に感じられている。
【発明の概要】
【発明が解決しようとする課題】
【０００３】
したがって、本発明の目的は、冒頭において言及した形式の支持具であって、管楽器演奏者の全く邪魔にならず、しかも長時間にわたる且つやる気の失せない演奏を可能にする支持具を提供することにある。
【課題を解決するための手段】
【０００４】
この目的は、請求項１の特徴を有する管楽器用の支持具によって達成される。
【０００５】
支持具は、Ｙ字形フレームを形成する３本のアームから成る。上方に突き出た２本のアームは、これらの自由端部のところが弓形部として形成され、従って、これらアームを演奏者の肩に掛けることができるようになっている。下方に突き出た第３のアームの自由端部は、演奏者の腹部領域に位置する。３本のアームは、一ユニットを形成するよう互いに一体的に連結されるか連結要素中に収斂するかのいずれかであり、アームは、この連結要素中に差し込まれ、或いはアームは、連結要素に連接され、その結果、アームは、これらが回動可能であるように連結要素に連接される。管楽器は、３本のアームの連結部の付近に配置された保持要素に設けられたコード又はバンドによって吊り下げられる。支持具は、非常に軽量であり、これを一動作で着け又は脱ぐことができる。支持具は、全く演奏者の邪魔にならず、演奏中、考えられる限り最高度に動き回れることができるようにする。
【０００６】
本発明の別の利点は、従属形式の請求項及び以下の説明から結果として得られ、以下の説明において、本発明を図面に実施例として示された例示の実施形態に基づいて詳細に説明する。
【図面の簡単な説明】
【０００７】
【図１】支持具の概略斜視図である。
【図２】差し込むことができるアームを備えた支持具の概略斜視図である。
【図３】回動可能なアームを備えた支持具の概略斜視図である。
【図４】図３の支持具の略図であるが、アームを回動させた状態を示す図である。
【図５】側方に回動可能なアームを備えた支持具の概略斜視図である。
【図６】図５の支持具の略図であるが、側方アームを下方に回動させた状態を示す図である。
【図７】楽器が掛けられた状態の支持具を人の肩で吊り下げた状態を示す概略斜視図である。
【図８】図５の支持具の略図であるが、調節可能な支持体及び回転可能であり且つ回動可能な突っ張りを備えた状態を示す図である。
【図８ａ】管楽器を掛けるフックの詳細図である。
【図８ｂ】管楽器を掛けるフックの詳細図である。
【発明を実施するための形態】
【０００８】
どの場合においても同一の要素には同一の参照符号が用いられ、当初の説明は、明示の別段の注意がなければ、全ての図に関する。
【０００９】
図１は、本発明の支持具１の例示の実施形態を示している。支持具１は、Ｙ字形フレームから成り、このＹ字形フレームは、実質的に、３本のフレーム、即ち、上方に突き出ていて、自由端部９が弓形部として形成された２本のアーム２，２′及び下方に突き出ていて、支持体４を形成する第３のアームによって形成されている。２本のアーム２，２′及び支持体４は、連結要素３中に収斂しており、これら２本のアーム及び支持体は、この連結要素内で互いに固定的に連結されている。支持フレーム１を一体に形成しても良く、或いは多数の部品の状態で形成しても良い。支持具が３つの個々の部品、即ち、２本のアーム２，２′及び支持体４から成る場合、これら２本のアーム及び支持体は、かくして連結要素３によって互いに連結され、連結要素３は、好ましくは、支持体４に固定的に連結され又は支持体４の上端部上に形成される。アーム２，２′は、連結要素３に設けられた対応の凹部内に取り外し可能に差し込まれてラッチ止めされ、その結果、これらアームは、ラッチ止め状態では回動可能ではなくなる。アーム２，２′を支持具の運搬のために連結要素３から引き抜くことができる。この場合、支持具の３つの個々の部品２，２′，４は、組み立て状態の場合よりも持ち運びが簡単である。弓形部として形成されているアーム２，２′の自由端部９は、演奏者の肩の上に載るよう提供される。この目的のため、自由端部は、図示のように平べったくされるのが良く、或いは、圧覚点を回避するようクッションが付けられるのが良い。保持手段５、例えばコード又はバンド６を用いて管楽器を吊り下げ又は締結することができる締結要素１８、例えばアイが連結要素３に設けられるのが良い。長手方向に調節可能なバンド６は、管楽器を吊り下げるためのフック７を自由端部のところに有している。支持体４の下側自由端部上には突っ張り８が形成されており、この突っ張りは、支持体４の下端部領域を単に広げることによって形成することも可能である。演奏者がアーム２，２′の弓形端部９を自分の肩の上に載せた状態で支持具１を掛けた場合、突っ張り８は、臍の幾分上方で腹部上に位置する。保持手段５を用いて締結手段１８で吊り下げられた管楽器は、その重量のために下に引っ張るようにぶら下がる。一方において、アーム２，２′が載っている肩によって引っ張る力が吸収され、他方において、突っ張り８が腹部に圧接する。演奏者は、演奏中に自身がブレスをすると、腹部領域に僅かな対抗する圧力を感じる。これは、特に初心者にとって有利である。というのは、初心者は、このようにして、自分のブレスを容易にモニタして自分のブレス技術を向上させることができるからである。
【００１０】
図２は、差し込み可能なアーム２，２′を備えた支持具１の例示の実施形態を示している。支持体４上に形成されている連結要素３は、アーム２，２′を受け入れるようになった２つの凹部１０を有している。この目的のため、キャッチ要素１１がアーム２，２′の下端部上に形成され、これらキャッチ要素は、これらを凹部１０内に差し込むと、取り外し可能にラッチ止め状態になる。差し込まれてラッチ止めされたアーム２，２′は、互いに対して又は支持体４に対して回動可能ではない。したがって、アーム２，２′は、支持体４にしっかりと連結される。
【００１１】
支持具１のアーム２，２′は、支持体８に回動可能な状態で連結されても良い。かかる変形実施形態が斜視図の状態で図３に示されている。２本のアーム２，２′は、ヒンジ形連結部によって支持体４上に形成された連結要素３に連接されている。この目的のため、連結要素３は、２つのスロット付き凹部を有し、アーム２，２′の端部１４は、このスロット付き凹部に嵌まり込んでピン１２によってこれらの中に保持され、ピン１２は、アーム２，２′の回転軸線を定める。このヒンジ形連結部により、アーム２，２′の制限された開放角度だけが可能である。具体的に説明すると、アーム２，２′が支持体に対して広がり位置にある場合、アーム２，２′の端部１４は、連結要素３の凹部の内側に圧接する。したがって、アーム２，２′及び支持体４は、内方にのみ回動可能であり、支持具１の重量が加わる場合、支持体に必要な逆方向における剛性を有する。
【００１２】
図４は、連結要素３に連接されたアーム２，２′を有する支持具１を折り畳み状態で示している。この位置では、支持具を梱包して容易に運搬できる。支持具１の使用のため、２本のアーム２，２′を広げてこれらの弓形自由端部９を用いて肩に掛ける。次に、コード６及びフック７を用いて楽器を支持具に掛けるだけで良い。支持具１を演奏後又は演奏中の小休止の際に一動作で容易に下に置くことができる。
【００１３】
図５は、支持具１の別の実施形態を示しており、この場合、２本のアーム２，２′がこの場合も又ヒンジ形連結部によって連結要素３に連接されている。アーム２，２′の端部１４が嵌まり込む２つのスロット付き凹部１６が２本のアーム２，２′を側方に折り畳むことができるように配置されている。折り畳み方向は、図面に矢印１５で示されている。このヒンジ形連結部は、アーム２，２′の側方回動のみを可能にする。アーム２，２′及び支持体４は、支持具１の着用者の体に向く方向及び逆方向において互いに対して回動可能ではない。かくして、支持具１は、支持具で吊り下げられている管楽器がアーム２，２′上に掛かるだけでなく重量の一部が支持体４を介して支持されるのに十分な剛性を有する。
【００１４】
アーム２，２′の側方折り畳みにより、支持具は、コンパクトに折り畳め、梱包及び運搬が容易である。図６は、かかる折り畳み状態の支持具１を示している。支持具１を使用するため、２本のアーム２，２′を側方に単に広げ、肩に掛け、そして楽器を支持具１に掛ける。
【００１５】
図７は、支持具１及びこれに吊り下げられた楽器１５を携えている演奏者を斜視図で概略的に示している。支持具１は、アーム２，２′の弓形端部９が演奏者の肩の上に掛けられた状態でぶら下がっている。支持体４は、突っ張り８が演奏者の腹部に当たった状態で位置している。支持具１で吊り下げられた管楽器１７を自由に動かすことができ、この管楽器は、演奏中の演奏者の動き回りを何ら邪魔することがなく、しかも演奏者は、肩に加わっている楽器の重量をほとんど感じることがない。
【００１６】
図８は、支持具１の別の実施形態を示している。アーム２，２′は、アルミニウムで作られており、従って、アームを曲げることによりこれらを演奏者の体型に容易に適合させることができる。アーム２，２′の端部９は、着用上の快適さを向上させるためにゴムクッション９ａを備えている。支持体４は、グリッドを備えた入れ子式延長部４ａを有する。かくして、支持体４の長さを変えることができ、演奏者の体型に最適に合わせることができる。加うるに、運搬のため、入れ子式延長部４ａを矢印で示されているように支持体４の頂部中に押し込むことができる。突っ張り８は、回転可能であり、この突っ張りは又、これが支持体４の入れ子式支持体４ａの下端部のところで僅かな範囲にわたって回動可能であるよう配置されている。図中の矢印は、回転方向を示している。突っ張り８は、これが支持体４上で動くことができ、即ち、回動可能であるように配置されているので、支持具を運搬のためにより小さく折り畳むことも又可能である。プラスチックシースを備えた状態で鋼から作られていて楽器を吊り下げるフック７は、図８ａ及び図８ｂに示されているようにセーフガードを有する。このセーフガードの役割は、フック７が演奏中、楽器１７と関連したアイから意図しない状態で離脱するのを阻止することにある。セーフガードは、Ｕ字形フック７の２つの脚部相互間のくびれ部により形成され、このセーフガードは、Ｕ字形フック７の内側部上に形成され又はＵ字形フック７の内側部上に設けられた舌状ばねの自由端部上に形成されたカム１３から成る。
【００１７】
支持具を例えば図８に示されているように全体的にプラスチックで又は少なくとも部分的に金属で作ることができる。単純な構成及び少ない材料費に鑑みて、支持具１は、本来的に軽量であり、管楽器演奏者の何ら邪魔にならず、それにより、長時間の且つやる気の失せない演奏が可能である。支持具を一動作で着け又は脱ぐことができる。アーム２，２′、支持体４及び弓形領域９内の肩パッドの具体化及び付形に応じて、支持具１は、最も簡単なモデル又は美観上の要求の高いモデルの状態で、管楽器演奏者が自分の楽器を保持すると同時に楽器が自分を妨害せず又は制約しないようにするのを助けるというその役割を果たす。
【図１】
0005824528.tif 000002
【図２】
0005824528.tif 000003
【図３】
0005824528.tif 000004
【図４】
0005824528.tif 000005
【図５】
0005824528.tif 000006
【図６】
0005824528.tif 000007
【図７】
0005824528.tif 000008
【図８】
0005824528.tif 000009
【図８ａ】
0005824528.tif 000010
【図８ｂ】
0005824528.tif 000011